(57)【要約】【課題】  本体に対する粘着シートを脱着操作が容易で、使い勝手が頗る良いねずみ捕獲器を提供する。【解決手段】  弾性板材によって天板部と左右の側板部からなる本体１と、本体の、一方の側板部下端へ一端が回動自在に枢着され、他端に係合突起２ｂが設けられた底板２と、前記底板に回動自在に軸支され、一端は本体内へ傾斜上昇され、他端には、対抗開成されるよう底板の係合突起に係合される本体側板部下端の当接受け部３ｄを設けた係合解除レバー３と、係合解除レバーの内端に設けられている餌載せ具４と、前記本体内面に沿って脱着自在に収納される粘着シート５とを備え、本体の内面中央にシートストッパ９を設ける一方、粘着シートを２枚一対の粘着シート片５ａに分離構成し、各粘着シート片５ａを前記本体の開口両側からシートストッパ９に突き当る位置まで嵌め込んで本体内部に収納されるように構成する。【選択図】          図１
2005270044.tif 000002
【特許請求の範囲】
【請求項１】
弾性板材によって、天板部と該天板部の左右両端から下方へ対向垂設され、自体のバネ力にて対向閉成されてねずみを挟持、捕獲する左右の側板部とからなる本体と、前記本体の、一方の側板部下端へ一端が回動自在に枢着され、他端に係合突起が設けられた底板と、中央よりやや後方を前記底板に上下方向へ回動自在に軸支され、一端は本体内へ傾斜上昇され、他端には、自体のバネ力に抗して対抗開成されるよう前記底板の係合突起に係合される本体側板部下端の当接受け部を押し上げ可能に設けてなる係合解除レバーと、係合解除レバーの内端上部に設けられている餌載せ具と、前記本体の天板部および両側板部の内面に沿って脱着自在に収納配置される粘着シートとを備え、前記本体の内面中央にシートストッパを設ける一方、前記粘着シートを２枚一対の粘着シート片に分離構成し、それぞれの粘着シート片を前記本体の開口両側からシートストッパに概ね突き当る位置まで差し込んで本体内部に収納配置されるようにしたことを特徴とするねずみ捕獲器。
【請求項２】
前記本体の天板部に設けられたシートストッパの両側に係合突部をそれぞれ設け、２枚一対の粘着シート片の対応部に前記係合突部に係合する孔をそれぞれ設けたことを特徴とする請求項１記載のねずみ捕獲器。
【請求項３】
前記したそれぞれの粘着シート片を、天板部と該天板部の左右両端から対向垂設されて組み立てられる側板部とを折り込み線を介して連設して構成し、両側板部の内面下方にねずみ捕獲用の接着材を塗布してなることを特徴とする請求項１または２に記載のねずみ捕獲器。
【発明の詳細な説明】
【技術分野】
【０００１】
本発明は、ねずみ捕獲器に関する。
【背景技術】
【０００２】
従来のねずみ捕獲器としては、金網にて形成したボックスに、シャッターにより開閉される入口を設け、該ボックス内の餌引掛部と連動連結した係合部に係合してシャッターを入口開口状態に保持し、上記餌引掛部の餌をねずみが食いつくことで、上記餌引掛部が引っ張られることにより、シャッターの係合が外れてバネ力により降下し、入口が閉鎖され、ねずみを捕獲するよう構成したものが知られている。
【０００３】
また、平板状の厚紙上面に、接着剤を塗布し、該接着剤を上向きとして、ねずみの通りそうな場所に仕掛け、上記接着剤上をねずみが通ることで、接着剤に接着して捕獲されるよう構成したものが知られている。
【０００４】
しかし乍ら、上記前者のねずみ捕獲器は、大型で搬送及び格納に不便であり、かつ捕獲したねずみの処分時等に気持ちが悪く、抵抗がある等の問題がある。
また、ねずみは学習能力が高く、１匹が掛かると、金網に仲間の臭いが付くため、２匹目が掛かり難い問題がある。
【０００５】
さらに、上記後者のねずみ捕獲器では、ねずみの手足や腹部の毛が接着されるので、接着力が弱く、また、捕獲したねずみは完全に露出したままであるため、処分時等、気持ちが悪く、抵抗が大きい等の問題がある。
【０００６】
そこで、本発明者はこのような問題点を解消するために、バネ力を持つ本体の左右の側板部を開成した係合保持状態で、ねずみが餌載せ部材に乗ると、その重力でストッパが回転し、一方の側板部の係合が外れ、両側板部は自体の持つバネ力により閉成されて、本体内面に配置した粘着シートにねずみは強力に接着されると共に、両側板部のバネ力により強く挟持されることで、高い捕獲能力によってねずみを逃げられることなく確実に捕獲できると共に、コンパクトに格納できて運搬、保管等に便利であり、かつ捕獲したねずみは粘着シートに包んで抵抗なく廃棄処分でき、また、簡潔な構成により安価であるねずみ捕獲器を既に提案している。
【特許文献１】特開２００３−１８９５０号
【発明の開示】
【発明が解決しようとする課題】
【０００７】
しかしながら、前記したねずみ捕獲器であっても、天板部と左右側板部とから成る本体内に配置される粘着シートは、全体が一枚で、しかも本体の開口部両側から突出するように構成されていることから必然的に長尺となってしまい、本体内への脱着操作、すなわち本体内部へ粘着シートを嵌め込んだり、あるいは引き抜く操作がし難く、あまり使い勝手が良いとはいえないものであった。
【０００８】
本発明は、このような欠陥を解消するもで、粘着シートを２枚一対に分離構成し、本体内の両側からそれぞれの粘着シートを脱着操作できるようにすることで、当該操作が容易で、使い勝手が頗る良いねずみ捕獲器を提供することを目的とする。
【課題を解決するための手段】
【０００９】
上記目的を達成するために、本発明に係るねずみ捕獲器は、請求項１では、弾性板材によって、天板部と該天板部の左右両端から下方へ対向垂設され、自体のバネ力にて対向閉成されてねずみを挟持、捕獲する左右の側板部とからなる本体と、前記本体の、一方の側板部下端へ一端が回動自在に枢着され、他端に係合突起が設けられた底板と、中央よりやや後方を前記底板に上下方向へ回動自在に軸支され、一端は本体内へ傾斜上昇され、他端には、自体のバネ力に抗して対抗開成されるよう前記底板の係合突起に係合される本体側板部下端の当接受け部を押し上げ可能に設けてなる係合解除レバーと、係合解除レバーの内端上部に設けられている餌載せ具と、前記本体の天板部および両側板部の内面に沿って脱着自在に収納配置される粘着シート片とを備え、前記本体の内面中央にシートストッパを設ける一方、前記粘着シート片を２枚一対の粘着シートに分離構成し、それぞれの粘着シート片を前記本体の開口両側からシートストッパに概ね突き当る位置まで差し込んで本体内部に収納配置されるようにしたことを特徴とする。
【００１０】
また、請求項２では、前記本体の天板部に設けられたシートストッパの両側に係合突部をそれぞれ設け、２枚一対の粘着シート片の対応部に前記係合突部に係合する孔をそれぞれ設けたことを特徴とする。
【００１１】
さらに、請求項３では、前記したそれぞれの粘着シート片を、天板部と該天板部の左右両端から対向垂設されて組み立てられる側板部とを折り込み線を介して連設して構成し、両側板部の内面下方にのみねずみ捕獲用の接着材を塗布してなることを特徴とする。
【発明の効果】
【００１２】
本発明は、以上のとおり粘着シートを収納配置する本体の内面中央にシートストッパが設けられる一方、粘着シートを前記本体の開口両端からシートストッパに突き当る位置まで嵌め込み可能な２枚一対の粘着シート片に分離構成してなるものであるから、前記本体内部へ粘着シート片を嵌め込んだり、あるいは引き抜く操作が極めて容易で、使い勝手が頗るよいものである。また、両側の粘着シート片の一方でねずみが捕獲された場合、他方の粘着シート片を残して再使用することができるため経済的である。
【００１３】
さらに、本体の天板部内側に突設した係合突部へ各粘着シート片の天板部に開口した孔を係合することによって本体に対する各粘着シート片の位置決め作業が容易となり、かついったん係合すれば各粘着シート片が本体からズレたり、あるいは外れることがないものである。
【００１４】
各粘着シート片の両側板部の内面下方に粘着剤を塗布することによってねずみの捕獲に支障がない上に接着剤の塗布作業が容易となり、かつ接着剤の塗布量を減少させることができコストの低下に貢献することができる。
【発明を実施するための最良の形態】
【００１５】
以下、本発明を実施するための最良の形態を図面に基づいて詳細に説明する。
図１は、本発明に係るねずみ捕獲器の使用時の分解斜視図、図２は、同上の組み立て時の側面図、図３は、同上の正面図、図４は、使用時における要部の斜視図、図５は、粘着シートの展開時内面図、図６は、ねずみ捕獲時の正面図、図７は、非使用時の正面図、図８は、本体の他例の分解斜視図をそれぞれ示す。
【００１６】
本発明に係るねずみ捕獲器は、図１以下に示したように、本体１と、底板２と、係合解除レバー３と、餌載せ具４および粘着シート５を主要部材として構成されている。
【００１７】
上記本体１は、次のように構成されている。
図１ないし図３に示したように、プラスチック板、または金属板等のバネ性（弾性）を有する板状材にて、天板部６と、該天板部６の左右両端から下方へ対向突設した左右の側板部７、８とで、前後両面及び底面を各開口して一体に形成させてある。
【００１８】
上記両側側板部７、８は、通常（不使用時）は図７に示したように、本体１がもつバネ力によって内側へ対向閉成され、両側板部７、８の下端が互いに突き合わされた状態に保持されている。つまり、両側側板部７、８は、それ自体のバネ力によって内側へ対向傾斜して正面略Ｖ字形状に保たれている。
【００１９】
また、上記両側板部７、８の内面中央には、粘着シート５を構成する２枚一対の粘着シート片５ａを両側の開口部からそれぞれ嵌め込んだとき両先端がほぼ中央で突き当るように位置決め用のシートストッパ９が内側へ突出して設けられている。
【００２０】
このシートストッパ９は、図１に示したように、本体１の天板部６および左右の側板部７、８内面の各中央部に所要の長さに亘って同一ライン上に設けられている。すなわち、天板部６中央部の横方向に設けられたシートストッパ９ａは、両側に粘着シート片５ａの両先端が突き当るように断面四角形の細棒部材にて形成され、両側板部７、８中央部の縦方向に設けられたシートストッパ９ｂは、両側に粘着シート片５ａの両先端が嵌入するように溝部９ｃが配設される断面Ｔ字型部材にて形成されている。
【００２１】
しかしながら、左右の側板部７、８のシートストッパ９ｂの構造としては、断面Ｔ字型部材に限られるものではなく、天板部６のシートストッパ９ａと同様の細棒部材にて形成してもよい。また、左右の側板部７、８にシートストッパ９ｂがあれば天板部６のシートストッパ９ａは必ずしも必要としないものである。
【００２２】
而して、天板部６のシートッストッパ９ａの両側内面には、図１および図７に示したように粘着シート片５ａの位置決め用の係合突部９ｄが設けられている。この係合突部９ｄは、本体１の開口部両側から粘着シート片５ａをシートストッパ９ａ、９ｂに突き当る位置まで嵌め込んだとき、当該各粘着シート片５ａの対応部に開設された孔５ｂに脱着自在に係合するものとしてある。なお、この係合突部９ｄは図示例では三角形に形成されているが、円形や四角形等でもよいことは勿論である。また、この係合突部９ｄの底面は、図２に示したように、中央部に向って漸次高くなるテーパに形成され、これによって各粘着シート片５ａの先端がスムーズに嵌め込み可能となっている。
【００２３】
さらに、上記両側板部７、８の下端内側には、粘着シート片５ａの左右両端部を係脱自在に係合するガイド溝部７ａ、８ａが正面略Ｕ字形状に曲げて形成されると共に、下端中央には小さな切欠き７ｂと大きな切欠き８ｂがそれぞれ対向して形成されている。さらに、上記両側板７、８下方の外面両端には開操作用の把手７ｃ、８ｃがそれぞれ付設されている。
【００２４】
上記底板２は、次のように構成される。
図１および図３並びに図４に示したように、前後方向の幅が狭く、左右方向の長さを本体１における左右の側板部７、８を垂直状態に開成したときの寸法より若干長く形成されている。
【００２５】
また、上記底板２は、その一端（図示例では左端）両側に支軸２ａが突設される一方、上記本体１における一方の側板部７の切欠き７ｂ両側に軸受部７ｄが突設されている。そして、支軸２ａが軸受部７ｄに設けた孔へ挿入されることによって底板２は本体１の側板部７下端に回動自在に支持されている。
【００２６】
さらに、上記底板２の反対側の端部近傍に、両側から上方へ所要の高さ突出されるよう係合突起２ｂが対向状態に配設されている。なお、図面において２ｃは、上記係合解除レバー３の軸受部であって、係合突起２ｂの内側に所定の間隔を置いて配設されている。
【００２７】
上記係合解除レバー３は、次のように構成されている。
図１および図３並びに図４に示したように、正面略逆向きへの字形状に形成され、その折曲部両側に支軸３ａが突設されている。そして、この支軸３ａを上記側板２の軸受部２ｃに設けた孔へ挿入することによって係合解除レバー３はその折曲部を支点として上下方向へ回動自在に支持されている。
【００２８】
また、係合解除レバー３の一端（図示例では左端）３ｂは、使用時に本体１内中央へ傾斜上昇するよう形成され、他端（図示例では右端）３ｃは、自体のバネ力に抗して対向開成されるよう底板２の係合突起２ｂに係合される本体１の側板部８下端を下側から受ける当接受け部３ｄとなっている。
【００２９】
すなわち、この当接受け部３ｄは、係合解除レバー３の一端３ｂが傾斜上昇している使用時には側板部８の下端が底板２の係合突起２ｂに係止される一方、一端３ｂが押し下げられた時には他端３ｃが上昇して側板部８の下端を押し上げることによって底板２の係合突起２ｂとの係合が解除されるよう、係合解除レバー３の他端３ｃに形成されている。
【００３０】
さらに、上記係合解除レバー３の当接受け部３ｄの外端には、本体１の側板部８の係止板３ｅが上方へ突出して形成されると共に、係止板３ｅの外面に操作用の摘み３ｆが突設されている。この係止板３ｅは側板部８の下端中央に設けられた切欠き８ｂの外側に位置している。
【００３１】
上記餌載せ具４は、次のように構成されている。
図３および図４に示したように、係合解除レバー３の一端３ｂ上面に短い支柱４ｂを介して設けられた柔軟なネット状の皿体４ａにて形成されている。なお、この餌載せ具４は、このような構成に制限されるものではなく、例えばゴム製の皿体や棒状体等によって構成することもできる。
【００３２】
上記粘着シート５は、次のように構成されている。
図１および図２並びに図５に示したように、本体１の両側開口部から本体１の天板部６および両側板部７、８の内面に沿って脱着自在にシートストッパ９に突き当る位置まで嵌め込まれるよう、同形・同大の２枚一対の粘着シート片５ａ、５ａに分離構成されている。
【００３３】
すなわち、各粘着シート片５ａは、本体１に対応するように天板部５ｃと両側板部５ｄとを折り込み線５ｅを介して連設して構成され、図５に示した展開状態の粘着シート片５ａを図１に示したように内側へ略直角に折り込むことで本体１内に沿って嵌め込むことができるようになっている。このとき各粘着シート片５ａの長さは、図２に示したように、両粘着シート片５ａの後端が本体１の開口両端部より所要の長さそれぞれ突出する寸法に形成されている。
【００３４】
そして、各粘着シート片５ａの内面にはねずみａ捕獲用の接着剤５ｆが塗布されている。この接着剤５ｆは粘着シート片５ａの内面全体に塗布してもよいが、一部分でもよい。例えば、両側板部５ｄの内面下方に接着剤５ｆを塗布するだけでもねずみａの捕獲に支障を生ずることはないものである。
【００３５】
また、各粘着シート片５ａの天板部５ｃに既述したように本体１天板部６に設けられた係合突部９ｄが係合する孔５ｂが開設されると共に、各粘着シート片５ａの一方の側板部５ｄの先端下方には、本体１内部へ差し込んだとき底板２や係合解除レバー３の各部材が邪魔とならないように切欠き５ｇが形成されている。
【００３６】
図８において、１０は本体１の上部に嵌合される弾性板からなる押え具で、本体１の天板部５ｃへ当接する上板１０ａと、左側の側板部３ｄへ当接する側板１０ｂとで略コ字形状に形成されている。本体１の弾力性が弱いとき、押え具１０を本体１の上部へ嵌合することで補強することができる。なお、押え具１０の強度を向上させるために、図示したように左右の側板１０ｂを内向きにやや傾斜した状態に折曲保持させるのがよい。
【００３７】
次に、本発明の使用手順について説明する。
本発明に係るねずみ捕獲器は、通常（不使用時）は、本体１の左右の側板部７、８が、自体の持つバネ力により閉じた状態、つまり両側板部７、８の下端が互いに突き合わせられた、正面略Ｖ字形状に保持されている。
【００３８】
上記ねずみ捕獲器を使用する時は、手動で左右の側板部７、８を、自体の持つバネ力に抗して外側へ対称に押し広げ、一方の側板部８の下端を底板２上面の二個一対の係合突起２ｂに係合することで、両側板部７、８を略垂直状態に保持する。そして、本体１を、前面及び後面が開口された状態に保持し、この状態で上記両側板の前後開口部から粘着シート５を構成する２枚一対の粘着シート片５ａを本体１の内面に設けられたシートストッパ９に当接するまでそれぞれ嵌め込む。
【００３９】
このように本体１の内面に沿って２枚一対の粘着シート片５ａをその先端がほぼ当接するよう所定の位置にそれぞれ配置した後、餌載せ具４にねずみａが好む餌を載せ、ねずみａが通りそうな場所にねずみ捕獲器を置く。
【００４０】
ねずみａが餌につられて、本体１の前面または後面の開口部から本体１内に入り、餌載せ具４上に乗ると、その重力により餌載せ具４が降下すると係合解除レバー３は回転し、その内端３ｂは降下するので、他端３ｃの当接受け部３ｄが上昇し、本体１の他方の側板部８が押し上げられることで、該側板部８下端は係合突起２ｂから外される。これによって両側板部７、８は、そのバネ力により対向閉成されるので、ねずみａは左右両側から粘着シート片５ａにより接着されると共に、左右両側から強力に挟着することでねずみａは捕獲される。
【００４１】
それから、本体１の両側開口部から粘着シート片５ａをそれぞれ反対方向へ引き抜くが、ねずみａが本体１の中央に位置している場合はどちらかの粘着シート片５ａ側へ寄せてから引き抜き、そのあと廃棄処分される。このとき、ねずみａは粘着シート片５ａに包まれているため、ねずみａの全体をみることなく、かつ手を触れることなく作業することができる。
【図面の簡単な説明】
【００４２】
【図１】本発明に係るねずみ捕獲器の使用時の分解斜視図である。
【図２】同上の組み立て時の側面図である。
【図３】同上の正面図である。
【図４】使用時における要部の斜視図である。
【図５】粘着シートの展開時内面図である。
【図６】ねずみ捕獲時の正面図である。
【図７】非使用時の全体正面図である。
【図８】本体の他例の分解斜視図である。
【符号の説明】
【００４３】
１                本体
２                底板
２ｂ              係合突起
３                係合解除レバー
３ｄ              当接受け部
４                餌載せ具
５                粘着シート
５ａ              粘着シート片
５ｂ              孔
５ｃ              天板部
５ｄ              側板部
５ｅ              折り込み線
５ｆ              接着剤
６                天板部
７、８            側板部
９（９ａ、９ｂ）  シートストッパ
【図１】
2005270044.tif 000003
【図２】
2005270044.tif 000004
【図３】
2005270044.tif 000005
【図４】
2005270044.tif 000006
【図５】
2005270044.tif 000007
【図６】
2005270044.tif 000008
【図７】
2005270044.tif 000009
【図８】
2005270044.tif 000010